(57)【特許請求の範囲】
【請求項１】
先端口１ａを有する軸筒１の先方内孔に固定筒４が固定され、該固定筒４の先端開口面を遮蔽する蓋部５が固定筒４の先端側一側面にヒンジ部４ｄが接続されて、ヒンジ部４ｄは常時蓋部５が拡開側に附勢するよう設けられ、また上記固定筒４の後方に摺動筒３が配設されて、該摺動筒３の前端に一端が係止され、前方に延出したアーム６ａの前端に上記蓋部５を閉塞状に押圧する孔部６ｃを有した当接部６ｂを備えて連結部材６が設けられて、摺動筒３が固定筒４に対し前後退位置に規制されると共に摺動筒３の後退位置で上記蓋部５が固定筒４の先端面に密接状態と成され、軸筒１内に軸筒１に対し前後退位置に係止可能となる液体筆記具用のリフィール７が、上記固定筒４の内周面と摺動可能な状態で密接する部位が設けられると共にリフィール７の先端部１８の先端が上記固定筒４の内孔に挿入され、リフィール７と連結部材６及び摺動筒３と軸筒１との間にスプリング２２及びスプリング２３が夫々附勢されて、上記リフィール７の前進で摺動筒３と連結部材６が連動して前進し、それと共に上記蓋部５が拡開し、連結部材６の当接部６ｂが軸筒１先方の段部１ｉに当接して前進位置規制された状態からリフィール７及び摺動筒３が前進してペン芯２０が上記連結部材６の孔部６ｃを貫通して軸筒１の先端口１ａから突出状態と成るように構成されたことを特徴とするキャップレス式の液体筆記具。
【請求項２】
上記固定筒４の内周部にリフィール７の先端部１８の外周部と摺動可能で密接する円周状のシール突部４ｅが形成されてなる上記請求項１記載のキャップレス式の液体筆記具。
【請求項３】
上記リフィール７に於いて、先軸１６の前方の先端部１８の外周に円周状の溝部１８ａを設けて、外溝部１８ａに弾性体よりなるＯリング２１が止着され、当該Ｏリング２１の外周部が固定筒４の内周面に摺動可能な状態で密接するように成されたことを特徴とする上記請求項１記載のキャップレス式の液体筆記具。
【請求項４】
軸筒１とリフィール７の少なくともインク収容筒８が透明な樹脂成形品で形成されたことを特徴とする上記請求項１記載のキャップレス式の液体筆記具。
【請求項５】
リフィール７は、インキ室８ａを有するインキ収容筒８と、該インキ収容筒８の先端に設けられる保持部１９を有する先軸１６と、該先軸１６内に嵌入されるインキ保持体１４と、上記インキ室開口部に装備されるバルブ機構部９と、該バルブ機構部９を介して外方に突出すると共に、上記先軸１６内の保持部１９及びインキ保持体１４に挿入保持されたペン芯２０とを備え、上記インキ保持体１４でインキを保持するように成した、所謂バルブ装置付き液体筆記具であることを特徴とする上記請求項１記載のキャップレス式の液体筆記具。
【請求項６】
上記バルブ機構部９は筒状の弁座体１０と、弁座体１０の前端開口内面部に嵌装される弁座部１２と、弁座体１０内に摺動可能に嵌挿されてスプリング１５の附勢により弁座部１２の後端開口部を閉塞する弁棒１１とで構成され、常時は弁棒の略中央外周に設けたテーパー状弁部１１ａが上記弁座部１２の後端に密接すると共に密接部位後方の弁座体１０の内孔にインキ室８ａ内のインキが流入可能と成され、又、上記弁棒１１のテーパー状弁部１１ａ前方に形成された棒軸部１１ｂが弁座部１２内孔に密挿し、棒軸部１１ｂの前方に溝部１１ｃが形成されてインキ保留室１３が設けられ、更にその前方に上記棒軸部１１ｂと同径の棒軸部１１ｄが形成されると共に、インク保留室１３から弁座部１２の前端と上記ペン芯２０の後端が当接する前端に至りインキが疎通可能な隙間が形成されて成ることを特徴とする上記請求項５記載のキャップレス式の液体筆記具。
【発明の詳細な説明】
【０００１】
【産業上の利用分野】
本発明は、マーカー、サインペン等の揮発性のインクを搭載したキャップレス式の液体筆記具の改良に関する。
【０００２】
【従来の技術】
従来、マーカー、サインペン等の揮発性の有るインクを搭載した筆記具はペン先をシールする為にキャップが取付けられている。従って、キャップを着脱する煩わしさとキャップを紛失してしまう等の問題がある。又、そのような問題を解決する為にキャップレスの筆記具が多数知られているが、シール性を確実に克服したものは少ない。又、シール性が確実なものとして本願のように開閉蓋でシールするものも存在するが、構造が複雑で組立てがしにくい。
【０００３】
【発明が解決しようとする課題】
本発明は上記のような問題を解決したキャップレス式の液体筆記具の提供を可能とする。又、インクの残量が判るキャップレス式の液体筆記具の提供を可能とする。
【０００４】
【課題を解決するための手段】
上記目的を達成するために案出された本発明のキャップレス式の液体筆記具は、軸筒１の先方内孔に固定筒４が固定され、固定筒４の先端開口面を遮蔽する蓋部５が固定筒４の先端側一側面に回動可能に連接され、固定筒４の後方に摺動筒３が配設されて、該摺動筒３の前端に一端が係止され、前方に延出したアーム６ａの前端に蓋部５を閉塞状に押圧する孔部６ｃを有した当接部６ｂを備えて連結部材６が設けられて、摺動筒３が固定筒４に対し前後退位置に規制されると共に摺動筒３の後退位置で蓋部５が固定筒４の先端面に密接状態と成され、軸筒１内に軸筒１に対し前後退位置に係止可能となる液体筆記具用のリフィール７が、固定筒４の内周面と摺動可能な状態で密接する部位が設けられると共にリフィール７の先端部１８の先端が固定筒４の内孔に挿入され、リフィール７と連結部材６及び摺動筒３と軸筒１との間にスプリング２２及び２３が夫々附勢されて、リフィール７の前進で摺動筒３と連結部材６が連動して前進し、それと共に蓋部５が拡開し、連結部材６の当接部６ｂが軸筒１先方の段部１ｉに当接して前進位置規制された状態からリフィール７及び摺動筒３が前進してペン芯２０が連結部材６の孔部６ｃを貫通して軸筒１の先端口１ａから突出状態と成るよう構成されている。リフィール７は、インキ収容筒８と、インキ収容筒８の先端に設けられる先軸１６と、先軸１６内に嵌入されるインキ保持体１４と、インキ室開口部に装備されるバルブ機構部９と、バルブ機構部９を介して外方に突出すると共に、先軸１６内の保持部１９及びインキ保持体１４に挿入保持されたペン芯２０とを備えて成る。軸筒１とリフィール７の少なくともインキ収容筒８が透明な樹脂成形品で形成されて成る。
【０００５】
【実施例】
図１乃至図９は本発明のキャップレス式の液体筆記具の実施例を示している。先ず、図１及び図２に示すように本願のキャップレス式の液体筆記具はマーカー、サインペン等のインキを搭載さた筆記具であって、先端口１ａを有する軸筒１の先方内孔に固定筒４が固定されている。図５に示すように固定筒４は筒状体で、軸筒１の内孔部１ｈに固定される大径の前筒部４ａと後方にやや小径の後筒部４ｂで形成されている。又、前筒部４ａの一側面には後述する連結部材のアームを嵌挿するガイド溝４ｃが設けられ、又、反対側の先端面の一側面にヒンジ部４ｄで接続して回動可能な蓋部５が設けられている。尚、ヒンジ部４ｄは常時蓋部５が拡開側に附勢するよう設けられることが望ましい。又、後筒部４ｂの内周面に後述するリフィール７の先端部１８の外周部が摺動可能で密接する円周状のシール突部４ｅが形成されている。
【０００６】
又、固定筒４の後方に摺動筒３が配設される。摺動筒３は貫通状の筒状体で、後端に円周状の鍔部３ａを有し、内孔部前端に段部３ｂが形成されている。
ところで、図４に示すように連結部材６は、アーム６ａの後端にリング状の鍔部６ｄが、前端に孔部６ｃを有したリング状の当接部６ｂが一体に形成されており、部材の肉薄化で通常はプレス等による金属部材で形成される。又、上記アーム６ａは前記固定筒４のガイド溝４ｃに摺動自在に嵌挿する。
【０００７】
連結部材６は、当接部６ｂを前記固定筒４の蓋部５の前面に当接し、アーム６ａをガイド溝４ｃに嵌挿し、鍔部６ｄを前記摺動筒３の段部３ｂに係止するよう取付けられる。図４に示す鍔部６ｄのリング部に切欠を設けたのは弾性変形により摺動筒の段部３ｂに係止させる一つの手段であり、組立て手段は種々考えられるので鍔部６ｄの形状は実施例に限定されるものではない。
【０００８】
一方、図７及び図８は、本発明のキャップレス式の液体筆記具に使用されるリフィール７を示している。図に示すようにリフィール７は、インキ室８ａを有するインキ収容筒８と、該インキ収容筒８の先端に螺合によって設けられる保持部１９を有する先軸１６と、上記インキ室８ａ開口部に装備されるバルブ機構部９と、ペン芯２０と、上記先軸１６内に嵌入されるインキ保持体１４とを備えている。又、先軸１６にはリフィール７を軸筒１に搭載して進退位置に附勢する為のスプリングの受け面となる鍔部１７及びその前方に段部１７ａを設けている。
【０００９】
又、図９は前記リフィール７を一部変えたもので、先軸１６の上記保持部１９を内孔に有する先端部１８の略中央部外周に円周状の溝部１８ａが形成され、該溝部１８ａ内に弾性体よりなるＯリング２１が止着され、Ｏリング２１の外周部が固定筒４の内周面に摺動可能で密接するよう成されるものである。尚、この場合には、前記固定筒４の内周面に設けたシール突部４ｅは不要となる。
【００１０】
バルブ機構部９は、インキ収容筒８と先軸１６との間に挟持された筒状の弁座体１０と、該弁座体１０の先端側に設けられた弁座部１２と、先軸１６の保持部１９に保持されて外方に突出するペン芯２０の基端に連接する弁棒１１と、該弁棒１１が弁座体１０内に摺動可能に挿入され、弁棒１１の周面に膨隆する基端側が大径のテーパー状弁部１１ａと弁座体１０の基部スプリング受け１０ａとの間に介在されるスプリング１５とにより構成され、該スプリング１５の弾発力によって常時テーパー状弁部１１ａが弁座部１２の開口後端に当接している。
【００１１】
又、バルブ機構部９は、常時は弁棒１１の長手方向略中央外周に設けたテーパー状弁部１１ａが前記弁座部１２の後端に密接すると共に該密接部位後方の弁座体１０の内孔にインキが流入可能と成されている。即ち、弁棒１１の後端が弁座体１０の後端孔から貫出する相互間の隙間、又、弁座体１０の後方外周に所要箇所で穿設されたスリット部（図示せず）からインキが流入する。
又、ペン芯２０は、バルブ機構部９を介して外方に突出すると共に、前記先軸１６内に設けられる保持部１９及び該先軸１６内に嵌入されるインキ保持体１４に挿入保持される構造となっている。
【００１２】
インキ保持体１４は、筒状体から構成され、該筒状体内周部の長手方向全長には、前記ペン芯２０を保持する複数箇所の保持突部（図示せず）を備えると共に各保持突部間に凹状の空気流通孔（図示せず）とを備えている。
このインキ保持体１４は、スポンジなどからなる弾性体等から構成されるものであり、インキの保持装置であると同時に、ペン芯２０の保持装置であるので、ペン芯２０の保持体とインキの吸蔵体としての作用を兼ね備えたものである。
又、該インキ保持体１４の保持突部の段部の深さを任意に設定することによりインキの流出の影響因子となる凹状の空気流通孔の大きさが決定される。
【００１３】
ところで、前記リフィール７は、ペン芯２０を押圧移動することによってペン芯２０の後端に当接する弁棒１１先端の棒軸部１１ｅに伝達して弁棒１１が後方に移動する。同時にテーパー状弁部１１ａと弁座部１２の密接状態が解除されるが棒軸部１１ｂが弁座部１２の内周部１２ａに密挿されているので弁座部１２内にインキは流入しない。更に、弁棒１１が後退して溝部１１ｃが弁座部１２の後端より突出すると溝部１１ｃ内にインキが入る。（図８参照）又、その状態で棒軸部１１ｄが内周部１２ａに密挿するのでインキは溝部１１ｃの前方に流入しない。ここでペン芯２０の押圧移動を解除すると図７の状態に戻り、上記溝部１１ｃに入ったインキは溝部１１ｃと弁座部１２の内孔との間に形成されるインキ保留室１３に保留され、同時に棒軸部１１ｄと弁座部１２の内孔との間に形成される隙間、棒軸部１１ｅとインキ保持体１４の内孔との間に形成される隙間を通してペン芯２０の後端にインキが供給される。
【００１４】
以上のように構成されたリフィール７は、前記軸筒１の後端から挿入される。又、その際に摺動筒３の段部３ｂとリフィール７の段部１７ａの間、摺動筒３の鍔部３ａと軸筒１の前方段部１ｇとの間にスプリング２２とスプリング２３が夫々附勢される。
【００１５】
一方、図６はノック筒２を示している。このノック筒２は、前記リフィール７の後端に配設されて、軸筒１に対しリフィール７を前後退位置に係止する。
図に示すようにノック筒２の前方にはスリ割り部２ａによって縮径方向に変位可能な弾性片２ｂと、弾性片２ｂの外周に略Ｔの字状に膨出した操作部２ｃと、Ｔの字状の垂直部となる基部２ｇの少なくとも片側にＴの字状の水平部に対向する斜面２ｅを有したリブ２ｄが形成されて、後方に向かって巾狭となるガイド溝２ｈとリブ２ｄの後端に係止段部２ｆが形成されている。又、リフィール７の後端部を収容して後端部が当接する段部２ｊを有した複数箇所のリブ２ｉを備えている。
【００１６】
又、軸筒１の後方外周には、図３に示すように後方側より前記操作部２ｃのＴの字状の水平部が嵌入可能な窓部１ｂと、その前方にＴの字状の垂直部が摺動可能に嵌装するスリット部１ｄと、更にその前方にリブ２ｄが貫出可能で且つＴの字状の水平部が貫入不能な窓部１ｅが夫々連接されて設けられ、前記ノック筒２は、前記リフィール７の後端部を収容して軸筒１の後端孔から弾性的に挿入されて前記操作部２ｃが窓部１ｂから貫出して後退位置規制され、リフィール７の前進位置でリブ２ｄの係止段部２ｆが窓部１ｅ後端の段部１ｆに係止してペン芯２０が軸筒１の先端口１ａから突出状態となるように構成される。
【００１７】
【作用】
本発明のキャップレス式の液体筆記具は以上のように構成されており、未使用時には図１に示すように前記固定筒４の先端面が蓋部５で密接され、更にリフィル７の先端部１８に先端外周がシール突部４ｅで密接される、又、Ｏリング２１が固定筒４の内周面に密接されるので、ペン先２０は摺動筒４の小空間（小室）に密閉され、インキの蒸発とペン芯２０の乾燥が防止される。
次に、ノック筒２のノック動作でリフィール７を前進させると、スプリング２２と２３の附勢力で摺動筒３と連結部材６が連動して前進し、蓋部５が拡開されると共に連結部材６の当接部６ｂが軸筒１の段部１ｉに当接して連結部材６の前進が阻止され、更にリフィール７及び摺動筒３が前進して連結部材６の孔部６ｃに先端部１８の先端が貫通すると共に軸筒１の先端口１ａからペン芯２０が突出する。（図２参照）この時、蓋部５が拡開側に附勢されることでペン芯２０が蓋部に接触することなく先端口１ａから突出できるので蓋部５及び先端口１ａにインキが付着する問題を回避できる。
【００１８】
又、ノック筒２は軸筒１の後端孔から弾性的に挿入されて、図１に示すように操作部２ｃが窓部１ｂから貫出してリフィール７が後退した位置に設定される。この状態で、操作部２ｃの係止段部２ｆが窓部１ｂの後端の段部１ｃに当接してノック筒２が後方へ抜け止め係止されているが、操作部２ｃを軸筒内部に押圧するとその係止が解除されると共に操作部２ｃが軸筒内に埋没した状態でノック筒２を軸筒１から抜き出すことが可能となり、リフィール７の交換を行う。
【００１９】
又、実施例に使用される前記リフィール７は、ペン芯２０の押圧移動によりバルブが解除されてもペン芯側に直接インキが流入せず、インク保留室に一旦インキが保留された後ペン芯側に供給される。従って、インキ室内の内圧が上がった状態に於いてもペン芯側の内圧が上がらない。又、先軸内に嵌入されるインキ保持体内周部の長手方向に備える少なくとも１つ以上の保持突部及び先軸内の保持部でペン芯を保持し、インキ保持体内部の長手方向に備える少なくとも１つ以上の空気流通孔で空気の置換が良好となり、従って、インキの流出が良好となる。
【００２０】
【発明の効果】
本発明のキャップレス式の液体筆記具の構成及び作用は以上の如くであり、従来のキャップレス式のものが複雑で組立てがしづらい問題が解決される。
又、蓋部を開閉する際に蓋部の内面にペン芯が接触しない構造とすることが可能で軸筒の先端口にインキが付着する問題を回避できる。従って、手や衣服を汚す心配がない。
又、使用されるリフィールは、インキ室内のインキがペン芯の押圧移動とその解除によってペン芯に定量づつ供給されるものであるが、加温によりインキ室内が高圧となった場合においてもペン芯側に内圧の影響が懸かることなくインキが一旦インキ保留室に保留されペン芯に受け渡されるのでインキが吹き出して周囲を汚す問題が解消される。
【図面の簡単な説明】
【図１】本発明の実施例であるキャップレス式の液体筆記具の全体を示す縦断面図で、ペン芯が蓋部で密閉された状態を示している。
【図２】図１の状態からノックして、蓋部を拡開してペン芯を軸筒の先端口から突出させた状態を示した実施例の縦断面図である。
【図３】実施例に使用される軸筒の上面図である。
【図４】実施例に使用される連結部材の斜視図である。
【図５】実施例に使用される固定筒の斜視図である。
【図６】実施例に使用されるノック筒の斜視図である。
【図７】実施例に使用されるリフィールの縦断面図である。
【図８】図７に示すリフィールのペン芯を押圧移動した状態を示す縦断面図である。
【図９】図７に示すリフィールの一部を変えた縦断面図である。
【符号の説明】
１  軸筒
１ａ  先端口
１ｂ  窓部
１ｃ  段部
１ｄ  スリット部
１ｅ  窓部
１ｆ  段部
１ｇ  段部
１ｈ  内孔部
１ｉ  段部
２  ノック筒
２ａ  スリ割り部
２ｂ  弾性片
２ｃ  操作部
２ｄ  リブ
２ｅ  斜面
２ｆ  係止段部
２ｇ  基部
２ｈ  ガイド溝
２ｉ  内筒部
２ｊ  段部
３  摺動筒
３ａ  鍔部
３ｂ  段部
４  固定筒
４ａ  前筒部
４ｂ  後筒部
４ｃ  ガイド溝
４ｄ  ヒンジ部
４ｅ  シール突部
５  蓋部
６  連結部材
６ａ  アーム
６ｂ  当接部
６ｃ  孔部
６ｄ  鍔部
７  リフィール
８  インク収容筒
８ａ  インキ室
９  バルブ機構部
１０  弁座体
１０ａ  スプリング受け
１１  弁棒
１１ａ  テーパー状弁部
１１ｂ  棒軸部
１１ｃ  溝部
１１ｄ  棒軸部
１１ｅ  棒軸部
１２  弁座部
１２ａ  内周面
１３  インキ保留室
１４  インキ保持体
１５  スプリング
１６  先軸
１７  鍔部
１７ａ  段部
１８  先端部
１８ａ  溝部
１９  保持部
２０  ペン芯
２１  Ｏリング
２２  スプリング
２３  スプリング
【図１】
0003668512.tif 000002
【図２】
0003668512.tif 000003
【図３】
0003668512.tif 000004
【図４】
0003668512.tif 000005
【図５】
0003668512.tif 000006
【図６】
0003668512.tif 000007
【図７】
0003668512.tif 000008
【図８】
0003668512.tif 000009
【図９】
0003668512.tif 000010